(57)【要約】  本発明の一実施例に係る、ハンドヘルド用小型ＯＣＴ（ｏｐｔｉｃａｌ  ｃｏｈｅｒｅｎｃｅ  ｔｏｍｏｇｒａｐｈｙ）分光計において、分光計光学係モジュールと、分光計光学係モジュールの一側に結合し、分光計光学係モジュールから受信した光を電気信号に変換するセンサーを含むセンサーボードと、分光計の外部の他の回路から受信したコントロール信号と電力信号をセンサーボードに供給し、センサーボードから受信した信号を外部の他の回路に伝達するように構成されるコネクターと、を含み、センサーボードは、分光計光学係モジュールと共にパッケージングされ、センサーは、センサーボードの表面から埋め立てられないか突出されるように形成され、センサーの受光部は、パッケージングされた部品の内部に向けるように構成され、分光計光学係モジュールから光を収集する装置である。【選択図】  図３
2021526224.tif 000002
【特許請求の範囲】
【請求項１】
ハンドヘルド用小型ＯＣＴ（ｏｐｔｉｃａｌ  ｃｏｈｅｒｅｎｃｅ  ｔｏｍｏｇｒａｐｈｙ）分光計において、
分光計光学係モジュールと、
前記分光計光学係モジュールの一側に結合し、前記分光計光学係モジュールから受信した光を電気信号に変換するセンサーを含むセンサーボードと、
前記分光計の外部の他の回路から受信したコントロール信号と電力信号を前記センサーボードに供給し、前記センサーボードから受信した信号を外部の他の回路に伝達するように構成されるコネクターと、を含み、
前記センサーボードは、前記分光計光学係モジュールと共にパッケージングされ、
前記センサーは、前記センサーボードの表面から突出されるように形成され、前記センサーの受光部は、前記パッケージングされた部品の内部に向けるように構成され、前記分光計光学係モジュールから光を収集する、ハンドヘルド用小型ＯＣＴ分光計。
【請求項２】
前記センサーの自体は、単一パッケージング工程を介さず、前記センサーボード上に埋設されるように製作される、請求項１に記載のハンドヘルド用小型ＯＣＴ分光計。
【請求項３】
前記センサーの受光部の上端には、カバーガラスが含まれていない、請求項１に記載のハンドヘルド用小型ＯＣＴ分光計。
【請求項４】
前記センサーを構成する複数のピクセルは、それぞれ１０μｍ以内の幅を有する、請求項１に記載のハンドヘルド用小型ＯＣＴ分光計。
【請求項５】
前記センサーは、既に設定された入力電源で動作できるように低電力回路を構成する、請求項１に記載のハンドヘルド用小型ＯＣＴ分光計。
【請求項６】
前記センサーが受信する光信号の波長成分が有する焦点のサイズを前記ピクセルの幅よりも小さく設計することで、前記光検出感度の劣化を最小化する、請求項４に記載のハンドヘルド用小型ＯＣＴ分光計。
【請求項７】
前記センサーボードは、電圧変換部を備え、前記コネクターから既に設定された電圧を受信できない場合、前記電圧変換部を通じて前記コントロール信号から電源供給に必要な他の電圧に変換する、請求項１に記載のハンドヘルド用小型ＯＣＴ分光計。
【請求項８】
前記センサーボードは、前記センサーから受信したアナログ信号をデジタル信号に変換し、前記コネクターに伝達するアナログデジタル変換器を更に含み、
前記アナログデジタル変換器は、入力を受ける前記アナログ信号の電圧範囲が雑音フロアから前記センサーのＦｕｌｌ  ｗｅｌｌ  ｃａｐａｃｉｔｙに対応する電圧範囲を含むように設定され、
前記Ｆｕｌｌ  ｗｅｌｌ  ｃａｐａｃｉｔｙは、前記センサー内の各ピクセルで光を受信し、既に設定された時間の間に蓄積できる最大電子の量を意味する、請求項１に記載のハンドヘルド用小型ＯＣＴ分光計。
【請求項９】
前記コネクターは、前記アナログデジタル変換器から発生されたデジタル信号を、前記分光計内のメインボードに転送する、請求項１に記載のハンドヘルド用小型ＯＣＴ分光計。
【請求項１０】
前記分光計は、
前記センサーの各ピクセルで測定した電気信号値に対する補正を行う補正モジュールを更に含み、
前記補正モジュールは、各ピクセルの光電変換特性値が異なることによる前記電気信号値の間の相違と、光入力がない時に、各ピクセルの雑音フロア（ｎｏｉｓｅ  ｆｌｏｏｒ）特性値の相違をそれぞれ減殺できるように補正する、請求項１に記載のハンドヘルド用小型ＯＣＴ分光計。
【請求項１１】
前記補正モジュールは、
各ピクセルで測定された電気信号値に、各ピクセルのオフセット（ＯＦＦＳＥＴ）値の間の相違を示すファクター（ｆａｃｔｏｒ）を引算し、前記引算された値に入力光の量に応じて各ピクセルの利得（ＧＡＩＮ）値を示すファクター（ｆａｃｔｏｒ）を除算することで前記補正を行う、請求項１０に記載のハンドヘルド用小型ＯＣＴ分光計。
【請求項１２】
前記補正モジュールは、
前記分光計の光センサーの漏話（ｃｒｏｓｓｔａｌｋ）を補正するために、一ピクセルに光信号が入力された時、理想的な電気信号値対比、隣接ピクセルに漏話され、実際に測定される電気信号値の比率、分光計の実際の動作状況で、各ピクセルで実際に測定された電気信号値及び漏話が除去された理想的な状況の電気信号値を用いて、数式を算出し、前記数式を通じて前記各ピクセルで測定される前記電気信号値を補正する、請求項１０に記載のハンドヘルド用小型ＯＣＴ分光計。
【請求項１３】
前記補正モジュールは、
前記ピクセルに入射される前記光信号の非線形（ｎｏｎｌｉｎｅａｒｉｔｙ）電気信号値を補正するために、
非線形的な領域での同じ前記光信号に対応する非線形電気信号値及び線形電気信号値をそれぞれ算出及び対応させた順覧表（ｌｏｏｋｕｐ  ｔａｂｌｅ）または関数を既に生成し、前記分光計が実際に前記光信号を入射して前記非線形的な電気信号値を受信すれば、前記順覧表または前記関数に基づいて前記線形電気信号値を算出して補正を行う、請求項１０に記載のハンドヘルド用小型ＯＣＴ分光計。
【発明の詳細な説明】
【技術分野】
【０００１】
本発明は、移動が必要な環境で使用するのに適合した小型ＯＣＴ（ｏｐｔｉｃａｌ  ｃｏｈｅｒｅｎｃｅ  ｔｏｍｏｇｒａｐｈｙ）用分光計を具現するための技術に関する。
【背景技術】
【０００２】
光干渉断面映像（ｏｐｔｉｃａｌ  ｃｏｈｅｒｅｎｃｅ  ｔｏｍｏｇｒａｐｈｙ；ＯＣＴ）は、光を用いて生体組職の内部の観察ができる技術であって、眼科、心血管などの分野で使われている先端の医療診断技術であり、時間領域（ｔｉｍｅ  ｄｏｍａｉｎ）、分光領域（ｓｐｅｃｔｒａｌ  ｄｏｍａｉｎ）及びスウェプトソース（ｓｗｅｐｔ  ｓｏｕｒｃｅ）方式などがある。そのうち、分光領域方式のＯＣＴシステムは、一定水準以上の性能を確保していると共に、製造原価を低減させることができるため、脚光を浴びている方式である。
【０００３】
図１は、従来の分光領域ＯＣＴシステムの概念を示す図である。
【０００４】
図１に示すように、分光計１は、分光領域方式のＯＣＴシステムにおける核心的な構成要素であって、基準光と同時に、生体組職で散乱されて戻ってきたサンプル光をスペクトラム成分で広げた上、センサーから検出する時に、干渉現象を用いて生体組職内部の構造的な信号を取得することができる。
【０００５】
また、ＯＣＴは、これまで眼科、心血管の分野などを中心として市場を拡大してきたところ、１９９１年に初めて技術が発明された以来、他の診断分野での普及率はあまり高くない方であった。その主な原因として、１億ウォンを超えるほど装備のコストが高いという点、通常はデスクトップやカート型であるため、設置空間がある程度は必要であるという点、高い使用料と保険数価の問題などが挙げられる。
【０００６】
よって、ＯＣＴシステムが小型化され、コストが低くなると、ＯＣＴは多様な診断分野において、その波及力が高くなると思われる。そのためには、分光計の小型低価化が必須である。
【０００７】
分光計１を使用するＯＣＴシステムにおいて、生体組職の内部断面を正確に映像化するためには、人工的な雑音を最小化すべきであるところ、従来には分光計で光を電気信号に変えるセンサーのカバーウィンドウのため、一部の光が反射されて、ＯＣＴ断面映像が出力される時に、人工的な横線形態の雑音を発生させる。
【０００８】
ところが、このようなカバーウィンドウは、センサーと単一パッケージに製作されて、任意の除去が難しい。また、このような単一パッケージでは、センサー自体の位置が表面から埋め立てられている場合が多いため、分光計を小型化することにおいて障害物として作用する。
【０００９】
図２は、従来の分光計１で使われているセンサーを示す図である。
【００１０】
図２に示すように、図２（ａ）は、センサーの上面を、図２（ｂ）は、センサーの側面を示す図である。
【００１１】
図２（ａ）に示すように、従来のセンサーの場合、表面にカバーウィンドウが備えられており、実際の検出領域が表面から埋め立てられていることが確認できる。また、図２（ｂ）からも該事項の確認が可能である。
【００１２】
また、従来のＯＣＴ用分光計１は、ハンドヘルド（ｈａｎｄｈｅｌｄ）またはモバイル環境を考慮していないため、通常、分光計１のセンサー回路に電力を供給するための自体電源回路及びコネクターが備えられている。そのため、分光計１には、別途の電源アダプダが連結されているべきであり、このような形態は分光計の小型化において障害物として作用する。
【００１３】
また、分光計１用センサーボードでは、センサーの感度が充分に考慮されるべきである。この値が高ければこそ、更に少ない量の光子（ｐｈｏｔｏｎ）でも十分な電流を発生させることができるところ、センサーの感度が低いと、高出力の光源を必要とする。このような構造は、少ない電力消耗を要求するハンドヘルドまたはモバイルＯＣＴでは不適であるため、感度の高いセンサーを利用した分光計１の具現が必要である。
【００１４】
センサーの感度を高めようとする時には、センサーのｆｕｌｌ  ｗｅｌｌ  ｃａｐａｃｉｔｙという項目も考慮しなければならない。光がセンサーに到逹すると、光子（ｐｈｏｔｏｎ）が電子を発生させるところ、各ピクセルにおいて露出時間（ｉｎｔｅｇｒａｔｉｏｎ  ｔｉｍｅ）の間に蓄積される電子の量が飽和状態まで到逹する時の値がｆｕｌｌ  ｗｅｌｌ  ｃａｐａｃｉｔｙである。この値が低いと、センサーの感度がいくら良くても直ぐに飽和状態に到逹するようになるため、入力される光信号の強さに制限を加えるようになる。よって、移動環境に適合したＯＣＴ用分光計では、感度が高いと共に、ｆｕｌｌ  ｗｅｌｌ  ｃａｐａｃｉｔｙ値も高いセンサーの具現が必要である。
【発明の概要】
【発明が解決しようとする課題】
【００１５】
本発明が解決しようとする課題は、バッテリーによって駆動されるハンドヘルドまたはモバイルＯＣＴ機器に適合した小型分光計１を具現することを目的としている。
【課題を解決するための手段】
【００１６】
上記のような技術的課題を達成するための本発明の一実施例に係る、ハンドヘルド用小型ＯＣＴ（ｏｐｔｉｃａｌ  ｃｏｈｅｒｅｎｃｅ  ｔｏｍｏｇｒａｐｈｙ）分光計において、分光計光学係モジュールと、分光計光学係モジュールの一側に結合し、分光計光学係モジュールから受信した光を電気信号に変換するセンサーを含むセンサーボードと、分光計の外部の他の回路から受信したコントロール信号と電力信号をセンサーボードに供給し、センサーボードから受信した信号を外部の他の回路に伝達するように構成されるコネクターと、を含み、センサーボードは、分光計光学係モジュールと共にパッケージングされ、センサーは、センサーボードの表面から突出されるように形成され、センサーの受光部は、パッケージングされた部品の内部に向けるように構成され、分光計光学係モジュールから光を収集する装置であり得る。
【００１７】
また、センサー自体は、単一パッケージング工程を介さず、センサーボード上に埋設されるように製作され得る。
【００１８】
また、センサーの受光部の上端には、カバーガラスが含まれていないことができる。
【００１９】
また、センサーを構成する複数のピクセルは、それぞれ１０μｍ以内の幅を有することができる。
【００２０】
また、センサーは、既に設定された入力電源で動作できるように低電力回路を構成することができる。
【００２１】
なお、センサーが受信する光信号の波長成分が有する焦点のサイズをピクセルの幅よりも小さく設計することで、分光性能の劣化を最小化することができる。
【００２２】
また、センサーボードは、電圧変換部を備え、コネクターから既に設定された電圧を受信できない場合、電圧変換部を通じてコネクターから伝達された信号から電源供給に必要な他の電圧に変換することができる。
【００２３】
また、センサーボードは、センサーから受信したアナログ信号をデジタル信号に変換し、コネクターに伝達するアナログデジタル変換器を更に含み、アナログデジタル変換器は、入力を受けるアナログ信号の電圧範囲が雑音フロア（ｎｏｉｓｅ  ｆｌｏｏｒ）からセンサーのＦｕｌｌ  ｗｅｌｌ  ｃａｐａｃｉｔｙに対応する電圧まで含むように設定されるものであり、Ｆｕｌｌ  ｗｅｌｌ  ｃａｐａｃｉｔｙは、センサー内の各ピクセルで光を受信し、既に設定された時間の間に蓄積できる最大電子の量を意味することができる。
【００２４】
また、コネクターは、アナログデジタル変換器から発生されたデジタル信号をＯＣＴシステムのメインボードに転送することができる。
【００２５】
なお、分光計は、センサーの各ピクセルで測定した電気信号値に対する補正を行う補正モジュールを更に含み、補正モジュールは、各ピクセルの光電変換特性値が異なることによる電気信号値の間の相違と、光入力がない時に、各ピクセルの雑音フロア（ｎｏｉｓｅ  ｆｌｏｏｒ）特性値の相違をそれぞれ減殺できるように補正することができる。
【００２６】
また、補正モジュールは、各ピクセルで測定された電気信号値に、各ピクセルのオフセット（ＯＦＦＳＥＴ）値の間の相違を示すファクター（ｆａｃｔｏｒ）を引算し、引算された値に入力光の量に応じて各ピクセルの利得（ＧＡＩＮ）値を示すファクター（ｆａｃｔｏｒ）を除算することで補正を行うことができる。
【発明の効果】
【００２７】
本発明の一実施例に係るバッテリーによって駆動されるハンドヘルドまたはモバイルＯＣＴ機器に適合した小型分光計１を具現することができる。
【００２８】
本発明を通じて、分光計１のサイズを小型化することで電力消耗を最小化し、センサーと光学係を単一パッケージで具現することで、分光領域ＯＣＴシステムのサイズとコストを低減することができる。
【００２９】
これを通じて、これまで制限的であったＯＣＴの普及率を極大化することができ、ＯＣＴを利用した診断が普遍化されることによって、医療保険の数価の拡大も期待できる。
【００３０】
さらに、このようなハンドヘルドまたはモバイル形態のＯＣＴシステムがｐｏｉｎｔ・ｏｆ・ｃａｒｅ（ＰＯＣ）機器として位置づけて、病院への接近性が良くない地域でも、医者が患者を訪問して先端の診断器機を通じた医療恩恵を拡大させることができる。
【図面の簡単な説明】
【００３１】
【図１】従来の分光領域ＯＣＴシステムの概念図を示す図である。
【図２】従来の分光計に使われているセンサーを示す図である。
【図３】本発明の一実施例に係る、小型ＯＣＴ用分光計と以後の信号処理端の構成を示す図である。
【図４】本発明の一実施例に係る、センサー及び分光計の例示を示す図である。
【図５】本発明の一実施例に係る、分光計光学係に入射された光を処理する過程を示す動作フロー図である。
【図６】本発明の一実施例に係る、センサーボード出力の線形性を確保する過程の例示を示すグラフである。
【図７】本発明の一実施例に従い、一ピクセルを基準にして照射される光信号の形態を示す例示グラフである。
【図８】本発明の一実施例に従い、一ピクセルを基準にして照射される光信号の形態を示す例示グラフである。
【発明を実施するための形態】
【００３２】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００３３】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味し、１つ或いはそれ以上の他の特徴や数字、ステップ、動作、構成要素、部分品、又はこれらを組み合わせたものの存在又は付加可能性を予め排除するものではないと理解されなければならない。
【００３４】
以下の実施例は、本発明の理解を助けるための詳細な説明であり、本発明の権利範囲を制限するものではない。よって、本発明と同じ機能を行う同一範囲の発明も本発明の権利範囲に属するだろう。
【００３５】
図３は、本発明の一実施例に係る、小型ＯＣＴ用分光計１と、以後の信号処理端の構成を示す図である。
【００３６】
図３に示すように、分光計１は、分光計光学係モジュール１１０、センサーボード１２０、コネクター１３０を含み、これらはＯＣＴのメインボード１４０及び電源装置１５０に連結され得る。
【００３７】
分光計光学係モジュール１１０は、分光計１のレンズ及び鏡などで構成され、測定対象から戻ってきた光信号が波長別に広がれてセンサーに適切に到逹できるようにガイドする役割を行うようになる。
【００３８】
本発明では、分光計１の小型化のために分光計光学係１１０に使われる光部品のサイズを小型化するか、集積化を通じて分光計１の小型化を具現するようになったのであり、その一例を後述する図４（ｂ）に示す。
【００３９】
センサーボード１２０は、分光計光学係モジュール１１０の一側に結合して分光計光学係モジュール１１０で受信される光信号を電気信号に変換するセンサーが含まれ、変換された信号を、コネクター１３０を通じて外部に伝達するようになる。
【００４０】
また、センサーボード１２０は、分光計光学係モジュール１１０と共にパッケージングされ、センサーはセンサーボード１２０の表面から埋め立てられないか、突出されるように形成され（すなわち、センサーボードの表面で外部に露出されるように形成され）、この時、センサーの受光部は、パッケージングされた部品の内部に向けるように構成され、分光計光学係モジュール１１０から光を収集するようになる。
【００４１】
この時、センサー自体は、別途のパッケージング工程を介さずに、センサーボード１２０上に装着された後、分光計光学係モジュール１１０と共にパッケージングされるため、これを通じて従来のセンサーにおいて、センサーの保護のために上端に備えられるカバーガラスが除去できるようになるのである。ところが、従来の技術のように、カバーガラスが存在するようになる場合、ＯＣＴ映像生成時に、雑音の原因になり得る。
【００４２】
また、センサーボード１２０は、センサーから受信するアナログ（ａｎａｌｏｇ）信号をデジタル信号に変換するアナログデジタル変換器（ａｎａｌｏｇ  ｔｏ  ｄｉｇｉｔａｌ  ｃｏｎｖｅｒｔｅｒ；ＡＤＣ）を更に含むことができる。
【００４３】
アナログデジタル変換器がアナールログ信号をデジタル信号に変換する時に、デジタル信号の出力最低値はセンサーの雑音フロア（ｎｏｉｓｅ  ｆｌｏｏｒ）に該当する値よりは低くて、出力最高値はセンサーのＦｕｌｌ  ｗｅｌｌ  ｃａｐａｃｉｔｙに該当する電圧よりは高くなるように設定されるべきである。
【００４４】
この時、Ｆｕｌｌ  ｗｅｌｌ  ｃａｐａｃｉｔｙは、センサー内の各ピクセルで光信号を受信し、既に設定された時間の間に発生させる電子の量が飽和状態に到逹する時の値を意味するようになる。
【００４５】
より詳細に説明すると、一般的に入力される光信号の値が大きくなる時に出力されるアナログ信号がセンサーのＦｕｌｌ  ｗｅｌｌ  ｃａｐａｃｉｔｙよりも大きくなる場合、図６の上端のグラフのように、飽和度（ｓａｔｕｒａｔｉｏｎ）が高くなることによって入力される光信号に対する線形性が崩れるようになる。すなわち、入力光の強さの上昇によって出力される電圧が、図６の下端のグラフのように持続的に線形性が維持されるように形成されることが好適であるが、一般的な場合、このように線形性が崩れる瞬間が発生されるので、Ｆｕｌｌ  ｗｅｌｌ  ｃａｐａｃｉｔｙ値の高いセンサーを使って、入射光の強さと出力電気信号との間の線形性が維持される範囲内でアナログ、デジタル変換が行われることが望ましい。
【００４６】
この時、センサーの感度が良くて、一定の光入力信号によって発生される電気信号の強さが大きいとしても、このｆｕｌｌ  ｗｅｌｌ  ｃａｐａｃｉｔｙ値が低いと、取得された電気信号は正確な光信号を反映できなくなる。
【００４７】
よって、本発明では、雑音フロア（ｎｏｉｓｅ  ｆｌｏｏｒ）に該当する入力電圧からＦｕｌｌ  ｗｅｌｌ  ｃａｐａｃｉｔｙに該当する入力電圧まで（すなわち、線形性が維持される電圧範囲内で）重点的にデジタル化できるように、アナログデジタル変換器の電圧設定範囲を合わせることにする。
【００４８】
一方、センサーボード１２０に供給される電源は、別途の電源アダプダを必要とする駆動形態ではなく、充電用ＵＳＢケーブルのように信号処理用ケーブルを用いて電源を確保することができるように具現され、分光計１を小型化することができる。
【００４９】
この時、外部で様々な電圧の電源が印加されなくなる場合には、センサーボード１２０内に備えられた電圧変換部がコネクター１３０から信号処理用ケーブルを通じて受信した一つの電圧信号を、電源供給に必要な他の電圧に変換して、センサーとアナログデジタル変換器などに印加するようになる。
【００５０】
なお、追加の実施例として、センサーボード１２０には雑音低減や電気衝撃の防止のための付加回路部も具現され得る。
【００５１】
他の追加の実施例として、センサーボード１２０は単一ボードに具現されることができ、機能を分割して２個以上のボードに具現されることもできる。
【００５２】
コネクター１３０は、センサーボード１２０に連結され、他の回路（メインボード１４０）から受信したコントロール信号及び電力信号に基づいてセンサーボード１２０に信号を供給するように構成される。また、センサーボード１２０から受信された信号をメインボード１４０に伝達し、前記メインボード１４０が含まれたＯＣＴ本体から電源を受信するようになる。
【００５３】
メインボード１４０は、本発明の分光計１が連結されるＯＣＴ本体が含んでいる回路ボードを意味するようになる。ＯＣＴ本体のメインボード１４０から生成されるコントロール信号と電源装置１５０から発源された電源を、コネクター１３０を通じて伝達し、それによって取得された分光計の信号を受信するようになる。
【００５４】
よって、センサーボード１２０のアナログデジタル変換器から生成されたデジタル信号は、コネクター１３０を通じてメインボード１４０に伝達する。
【００５５】
電源装置１５０は、メインボード１４０と連結され、ＯＣＴ本体及び分光計１に電力を伝達する装置になり得る。この時、本発明では、携帯可能な小型ＯＣＴに備えられる分光計１を意味するところ、電源装置１５０は脱着式あるいは充電式バッテリーに具現され得る。
【００５６】
本発明における分光計１は、ハンドヘルドまたはモバイル状況を勘案し、落下時にも耐えられるように、部品締結、パッケージング、及び衝撃吸収のための器具的な設計が裏付けられるべきである。
【００５７】
図４は、本発明の一実施例に係る、センサー及び分光計光学係１１０の例示を示す図である。
【００５８】
図４に示すように、図４（ａ）は、センサーの具現の例示であり、図４（ｂ）は、分光計光学係１１０の例示である。
【００５９】
図４（ａ）に示すように、センサーは単独でパッケージングする形態は排除し、人工雑音を低めるために、カバーウィンドウを装着しない形態に具現される。分光計１の小型パッケージング化が可能になるように、カバーウィンドウを除去したセンサーの表面がセンサーボード１２０から外部に突出されている。
【００６０】
この時、センサーを構成する各ピクセルの幅は１０μｍ以内に狭く製作され、分光計１の分光計光学係１１０と共に、単一パッケージに製作する時に、全体的なサイズを小さくすることができる。また、少量の電力を消耗して動作され得るように、低電力回路に構成されるべきである。
【００６１】
図４（ａ）に示すように、センサーが含まれた電子基板は、センサーの検出領域が表面に突出されており、カバーウィンドウがなくて、図４（ｂ）に描写されたような分光計光学係の左側末端に結合され、全体的な分光計１のサイズを小型化することができる。
【００６２】
このように突出されたセンサーの表面は、図４（ｂ）に示すようなレンズと回折格子（ｇｒａｔｉｎｇ）などの部品で構成された幾何光学係にも使用可能であり、追加の小型化のために、光部品を半導体工程で行った平面上に導波管（ｗａｖｅｇｕｉｄｅ）形態に具現する集積光学係（ｉｎｔｅｇｒａｔｅｄ  ｏｐｔｉｃｓ）にも適合である。
【００６３】
また、ＯＣＴシステムの性能を評価する一つの指標として、光検出感度（ｏｐｔｉｃａｌ  ｄｅｔｅｃｔｉｏｎ  ｓｅｎｓｉｔｉｖｉｔｙ）または光動的範囲（ｏｐｔｉｃａｌ  ｄｙｎａｍｉｃ  ｒａｎｇｅ）がある。
【００６４】
光検出感度は、完全な反射鏡がサンプル位置にあると仮定する場合、信号対雑音比（ＳＮＲ：ｓｉｇｎａｌ−ｔｏ−ｎｏｉｓｅ  ｒａｔｉｏ）を意味するようになる。雑音を構成する要素には、散弾雑音（ｓｈｏｔ  ｎｏｉｓｅ）、熱雑音（ｔｈｅｒｍａｌ  ｎｏｉｓｅ）、及び相対的強度雑音（ｒｅｌａｔｉｖｅ  ｉｎｔｅｎｓｉｔｙ  ｎｏｉｓｅ；ＲＩＮ）がある。
【００６５】
よって、散乱と吸収の多い生体組職においては、散弾雑音が格段に高い散弾雑音制限（ｓｈｏｔ−ｎｏｉｓｅ  ｌｉｍｉｔｅｄ）の状況でシステムを駆動することができる。
【００６６】
この時、センサーにおける光に対する露出時間が長いほど、光検出感度が大きくなるが、分光計の動作速度が遅くなるため、適切な妥協点を探るべきである。
【００６７】
ところが、光検出感度は、光信号が生体組職の奥まで深く入って行ってから戻ってくるほど更に劣化される。この劣化される程度は、センサーの各ピクセル上に宿る各波長成分の焦点のサイズと各ピクセルの幅の比率と関連があるところ、本発明では、この焦点のサイズがピクセル幅よりは小さく設計することで、光検出感度の劣化を最小化する。
【００６８】
一方、大部分の多重ピクセル形態のセンサーでは、半導体工程によって各ピクセルでの特性が一定ではないため、ｐｈｏｔｏ  ｒｅｓｐｏｎｓｅ  ｎｏｎｕｎｉｆｏｒｍｉｔｙ（ＰＲＮＵ）とｄａｒｋ  ｓｉｇｎａｌ  ｎｏｎｕｎｉｆｏｒｍｉｔｙ（ＤＳＮＵ）が存在する。前者は、入射された光量に応じて生成される電流の量が少しずつ異なるものであり、後者は、入力光がない時の値が少しずつ異なるものである。すなわち、ＰＲＮＵは、各ピクセルの利得に関するファクターであり、ＤＳＮＵは、各ピクセルのオフセット値に関するファクターである。
【００６９】
本発明において、分光計１は、センサーの各ピクセルで測定する電気信号値に対する補正を行う補正モジュールを更に含んでおり、補正モジュールが各ピクセルの光電変換特性値が異なることによる電気信号値間の相違と、光入力がない時、各ピクセルの雑音フロア（ｎｏｉｓｅ  ｆｌｏｏｒ）特性値の相違と、をそれぞれ減殺できるように補正するようになる。
【００７０】
この時、補正モジュールは、各ピクセルで測定された電気信号値に、各ピクセルのオフセット（ｏｆｆｓｅｔ）値の間の相違を示すファクター（ｆａｃｔｏｒ）を引算し、引算された値に入力光の量に応じて各ピクセルの利得（ｇａｉｎ）値を示すファクター（ｆａｃｔｏｒ）を除算することで補正を行うようになる。
【００７１】
よって、測定された各ピクセルの値は、予め分析された各ピクセル別のＰＲＮＵとＤＳＮＵ値を用いて補正されればこそ、正確な測定値を得ることができる。すなわち、以下のような数学式１の形態に補正された信号が得られる。
【００７２】
【数１】
2021526224.tif 000003
【００７３】
図５は、本発明の一実施例に係る、分光計光学係１１０に入射された光を処理する過程を示す動作フロー図である。
【００７４】
図５に示すように、先ず、分光計光学係１１０を通じて入射光を獲得するようになる（Ｓ５１０）。
【００７５】
段階（Ｓ５１０）を通じて獲得された入射光を、分光計光学係１１０に備えられているレンズを通じて平行光化（ｃｏｌｌｉｍａｔｉｏｎ）作業を行う（Ｓ５２０）。
【００７６】
平行光化された分光信号を波長別に分離（Ｓ５３０）し、分離された分光信号を分光計光学係１１０に備えられているレンズを通じて集中化（ｆｏｃｕｓｉｎｇ）を行うようになる（Ｓ５４０）。
【００７７】
最後に、段階（Ｓ５３０）を通じて集中化を介した分光信号を、センサーボード１２０に備えられたセンサーで検出する段階を有するようになる（Ｓ５５０）。
【００７８】
図６は、本発明の一実施例に係る、センサーボード１２０出力の線形性を確保する過程の例示を示すグラフである。
【００７９】
図６に示す２つのグラフは、飽和度（ｓａｔｕｒａｔｉｏｎ）と光信号に関するものであって、  図６（ａ）は、一般的な分光計の出力信号（電気信号値）を、  図６（ｂ）は、理想的な分光計の出力信号（電気信号値）を意味するようになる。
【００８０】
図６（ａ）に示すように、特定ピクセルに入射される入力光信号が線形的に増加するとしても、該ピクセルでの出力値（電気信号値）は、図６（ａ）に示すように、非線形的に増加することがある。このような場合、出力値をそのまま使えば、不明確な分光計の出力結果が得られるようになる。
【００８１】
よって、既に設定されたアルゴリズムを通じて、非線形的な出力値を線形的な値に補正するようになる場合、図６（ｂ）のような線形的な出力値が得られることになって、正確な分光計の出力結果が得られるようになる。
【００８２】
この時、既に設定されたアルゴリズムとは、一例として、入力光信号対比出力値が線形的な領域でのカーブを外挿、非線形領域での理想的な線形出力値を導出して、特定入力光信号の強さで実際に測定される非線形的な出力値に対する理想的な線形的な出力値の順覧表（ｌｏｏｋｕｐ  ｔａｂｌｅ）を既に格納した後、実際に分光計を作動させて非線形的な出力値を受信すれば、既に格納された該線形的な出力値を順覧表から呼び出して、代わりに出力するようになる。他例として、非線形的な状態を含む関数をフィッティング（ｆｉｔｔｉｎｇ）などの技法で導出した後、線形的な状態に変形させる関数を計算して適用することもできる。
【００８３】
このような補償の場合、既存のＰＲＮＵ及びＤＳＮＵにも追加されることができるため、分光計を通じて得られる結果値の正確度を高めることができるようになる。
【００８４】
また、従来の分光計で作用可能な漏話（ｃｒｏｓｓｔａｌｋ）現象に対する補償アルゴリズムも含まれ得る。これは、分光計の内部に装着されるセンサーが一般的に１次元形態に配列されるところ、一ピクセルのみで感知されるべきの光信号が、センサーの理想的ではない動作特性によって、隣接したピクセルにも漏れてしまい、信号が測定されるようになるのである。よって、ある一ピクセルのみに光信号を入力する状況で、隣接した様々なピクセル（端側１〜３個程度）での電気信号値を測定した後、これをすべてのピクセルに対して拡張すると、理想的な状態で一ピクセルのみで測定されるべきの電気信号値が、実際にはどのように測定されるかに該当する行列数式を算出するようになる。この時、算出された行列数式に対する逆行列計算を通じて、ピクセルで測定される電気信号値を理想的な電気信号値に対応するように補正を行うようになるのである。
【００８５】
図７〜図８は、本発明の一実施例に従い、一ピクセルを基準にして照射される光信号の形態を示す例示グラフである。
【００８６】
図７に示すように、理想的な状況では、光信号に対する漏話がない場合、図面に示すように、一ピクセルのみで信号が測定されるようになる。
【００８７】
しかし、実際には、光信号が電子を発生させる位置から各ピクセルの電極の位置が、ある程離隔されている要因などによって、図８に示すように、基準になるピクセル以外にも光信号の測定される問題点が発生され得る。
【００８８】
よって、本発明では、後述するアルゴリズムを通じて、このような漏話を適切に補償させることで、正確な分光を測定することができるようになる。
【００８９】
このような漏話補正に使われるアルゴリズムを説明するために、隣接した３個のピクセルから漏話が発生するとともに、すべてのピクセルが同じ漏話（ｃｒｏｓｓｔａｌｋ）現象を有すると仮定すると、分光計は、以下のような数式を通じて、漏話に対する補正を行うようになる。
【００９０】
ｙ［１］＝ａ０ｘ［１］＋ａ１ｘ［２］＋ａ２ｘ［３］＋ａ３ｘ［４］
ｙ［２］＝ａ１ｘ［１］＋ａ０ｘ［２］＋ａ１ｘ［３］＋ａ２ｘ［４］＋ａ３ｘ［５］
ｙ［３］＝ａ２ｘ［１］＋ａ１ｘ［２］＋ａ０ｘ［３］＋ａ１ｘ［４］＋ａ２ｘ［５］＋ａ３ｘ［６］
ｙ［４］＝ａ３ｘ［１］＋ａ２ｘ［２］＋ａ１ｘ［３］＋ａ０ｘ［４］＋ａ１ｘ［５］＋ａ２ｘ［６］＋ａ３ｘ［７］…
ｙ［ｎ］＝ａ３ｘ［ｎ−３］＋ａ２ｘ［ｎ−２］＋ａ１ｘ［ｎ−１］＋ａ０ｘ［ｎ］＋ａ１ｘ［ｎ＋１］＋ａ２ｘ［ｎ＋２］＋ａ３ｘ［ｎ＋３］…
ｙ［Ｎ−３］＝ａ３ｘ［Ｎ−６］＋ａ２ｘ［Ｎ−５］＋ａ１ｘ［Ｎ−４］＋ａ０ｘ［Ｎ−３］＋ａ１ｘ［Ｎ−２］＋ａ２ｘ［Ｎ−１］＋ａ３ｘ［Ｎ］
ｙ［Ｎ−２］＝ａ３ｘ［Ｎ−５］＋ａ２ｘ［Ｎ−４］＋ａ１ｘ［Ｎ−３］＋ａ０ｘ［Ｎ−２］＋ａ１ｘ［Ｎ−１］＋ａ２ｘ［Ｎ］
ｙ［Ｎ−１］＝ａ３ｘ［Ｎ−４］＋ａ２ｘ［Ｎ−３］＋ａ１ｘ［Ｎ−２］＋ａ０ｘ［Ｎ−１］＋ａ１ｘ［Ｎ］
ｙ［Ｎ］＝ａ３ｘ［Ｎ−３］＋ａ２ｘ［Ｎ−２］＋ａ１ｘ［Ｎ−１］＋ａ０ｘ［Ｎ］
【００９１】
ｘ［ｎ］：ｎ番目のピクセルに測定されるべきの元の値
ｙ［ｎ］：ｎ番目ピクセルで実際に測定された値
ａ０：一ピクセルで元々測定されるべきの値対比該ピクセルで実際に測定された値の比率
ａ１：一ピクセルで元々測定されるべきの値対比、１番目に隣接したピクセルで実際に測定された値の比率
ａ２：一ピクセルで元々測定されるべきの値対比、２番目に隣接したピクセルで実際に測定された値の比率
ａ３：一ピクセルで元々測定されるべきの値対比、３番目に隣接したピクセルで実際に測定された値の比率
Ｎ：ピクセルの個数
【００９２】
この時、上記の数式を行列で整理すれば、以下のような行列数式が算出され得る。
Ｙ＝［ｙ［１］ｙ［２］…ｙ［Ｎ］］′
Ｘ＝［ｘ［１］ｘ［２］…ｘ［Ｎ］］′
2021526224.tif 000004
【００９３】
最終的に、上記の行列数式を通じて、「Ｙ＝ＡＸ」という数式が算出され、実際に測定されるべきの値に対して漏話を補正するために、以下の公式が使われ得る。
「Ｘ＝Ａ−１Ｙ」
【００９４】
この時、例示として挙げた上記の行列数式に使われた因子が７個に構成され得るが、これを単純にする場合、３個または５個が使われることができ、高度化される場合、９個以上の因子が使われることができる。また、漏話がピクセル毎に異なる場合には、さらに多い因子になることもできる。すなわち、予めセンサーの測定を通じて因子を確定した後、因子を格納媒体に格納して行列数式を構成し、逆行列もリアルタイムで計算することで、漏話に対する補正を行うことができるようになる。
【００９５】
また、選択的な実施例で、漏話を補正するための数式を簡素化することができる。これは、複雑な数式は分光計の演算速度の低下を誘発する可能性があるため、予め行列数式に対応する逆行列のうち、意味を有する因子を予め格納し、これを通じて数式を、加算及び乗算のみが使われる簡素化した数式が適用され得るようにする。
【００９６】
上述した本願の説明は例示のためのものであり、本願の属する技術分野において通常の知識を有する者であれば、本願の技術的思想や必須の特徴を変更せずに他の具体的な形態に容易に変形可能であるということを理解できるはずである。それゆえ、前記した実施例は全ての面において例示的なものであり、限定的なものではないと理解すべきである。例えば、単一型で説明されている各構成要素は分散して実施されても良く、同様に、分散したものと説明されている構成要素も結合された形態で実施されても良い。
【００９７】
本願の範囲は、前記詳細な説明よりは後述する特許請求の範囲によって示され、特許請求の範囲の意味及び範囲、並びにその均等概念から導出される全ての変更又は変形された形態が本願の範囲に含まれると解釈されなければならない。
【図１】
2021526224.tif 000005
【図２】
2021526224.tif 000006
【図３】
2021526224.tif 000007
【図４】
2021526224.tif 000008
【図５】
2021526224.tif 000009
【図６】
2021526224.tif 000010
【図７】
2021526224.tif 000011
【図８】
2021526224.tif 000012
【国際調査報告】
2021526224.tif 000013
2021526224.tif 000014
2021526224.tif 000015
2021526224.tif 000016